(57)【要約】      （修正有）【課題】更なる騒音の低下を図る。【解決手段】吸込口と吹出口とを有する箱形状の本体ケースと、本体ケース内に設けた空気調和手段と、吸込口から吸い込まれた空気を、送風路により、空気調和手段を介して吹出口から吹き出す送風手段と、送風手段の周辺に設けた消音部１６とからなり、消音部１６は、内部に空間を有する箱部分と、箱部分の内部の空間と送風路とを連通するスリット部１９とを備えたことにより、消音部１６のスリット部１９から箱部分の内部の空間に入り、この空間で共鳴することによって、騒音を低減できる空気調和装置を得られる。【選択図】図４
2016023824.tif 000002
【特許請求の範囲】
【請求項１】
吸込口と吹出口とを有する箱形状の本体ケースと、前記本体ケース内に設けた空気調和手段と、前記吸込口から吸い込まれた空気を、送風路により、空気調和手段を介して前記吹出口から吹き出す送風手段と、前記送風手段の周辺に設けた消音部とからなり、前記消音部は、内部に空間を有する箱部分と、前記箱部分の内部の空間と前記送風路とを連通するスリット部とを備えたことを特徴とする空気調和装置。
【請求項２】
前記送風手段は、前記送風路の断面形状が曲面部分を有する曲面風路部に設けられたモータ部と、前記モータ部の回転軸に固定された軸流ファンとを有し、前記消音部の前記箱部分は、前記曲面風路部分の前記曲面部分と前記本体ケースとの間に設けられたことを特徴とする請求項１に記載の空気調和装置。
【請求項３】
前記送風手段は、前記送風路における前記吹出口の上流側に設けられ、前記スリット部は、前記送風路における前記吹出口と前記送風手段との間に設けられたことを特徴とする請求項１または２に記載の空気調和装置。
【請求項４】
前記スリット部は、前記送風手段によって送風される送風方向に対して直交するように延びた長方形であることを特徴とする請求項１から３のいずれかに記載の空気調和装置。
【発明の詳細な説明】
【技術分野】
【０００１】
本発明は、消音部を備えた空気調和装置に関する。
【背景技術】
【０００２】
従来のこの種の空気調和装置の構成は、以下のようになっていた。
【０００３】
すなわち、吸込口と吹出口とを有する本体ケースと、本体ケース内に設けた空気調和手段と、送風手段とから構成している。送風手段によって、吸込口から吸い込まれた空気は、空気調和手段を介して吹出口から吹き出された。
【先行技術文献】
【特許文献】
【０００４】
【特許文献１】特開２０１２−７８０４０号公報
【発明の概要】
【発明が解決しようとする課題】
【０００５】
このような従来例の空気調和装置では、睡眠時に使用する場合があるので、更なる騒音の低下が課題であった。
【０００６】
そこで本発明は、更なる騒音の低下を目的とするものである。
【課題を解決するための手段】
【０００７】
そして、この目的を達成するために、本発明は、吸込口と吹出口とを有する箱形状の本体ケースと、前記本体ケース内に設けた空気調和手段と、前記吸込口から吸い込まれた空気を送風路により空気調和手段を介して前記吹出口から吹き出す送風手段と、前記送風手段の周辺に設けた消音部とからなり、前記消音部は、内部に空間を有する箱部分と、前記箱部分の内部の空間と前記送風路とを連通するスリット部とを備えたものであり、これにより所期の目的を達成するものである。
【発明の効果】
【０００８】
本発明によれば、吸込口と吹出口とを有する箱形状の本体ケースと、前記本体ケース内に設けた空気調和手段と、前記吸込口から吸い込まれた空気を、送風路により、空気調和手段を介して前記吹出口から吹き出す送風手段と、前記送風手段の周辺に設けた消音部とからなり、前記消音部は、内部に空間を有する箱部分と、前記箱部分の内部の空間と前記送風路とを連通するスリット部とを備えたことを特徴としたものである。
【０００９】
このように、消音部を送風手段の周辺に設け、消音部は、内部に空間を有する箱部分と、箱部分の内部の空間と送風路とを連通するスリット部とを備えたことにより、主に送風手段で発生する騒音が、消音部のスリット部から箱部分の内部の空間に入り、この空間で共鳴することによって、騒音を低減できる。
【図面の簡単な説明】
【００１０】
【図１】本発明の実施の形態１の空気調和装置を示す斜視図
【図２】同空気調和装置の断面図
【図３】同空気調和装置の断面図
【図４】同空気調和装置の送風手段を示す斜視図
【図５】同空気調和装置の消音部および送風手段を示す断面図
【発明を実施するための形態】
【００１１】
以下、本発明の実施の形態について図面を参照しながら説明する。
【００１２】
（実施の形態１）
図１は、本発明の実施の形態１の空気調和装置を示す斜視図である。図１は、本体ケースにおける背面側から見た斜視図である。
【００１３】
図２は、本発明の実施の形態１の空気調和装置を示す断面図である。図２は、本体ケースにおける右側から見たもので、主に送風手段と空気調和手段とを示した断面図である。
【００１４】
図３は、本発明の実施の形態１の空気調和装置を示す断面図である。図３は、本体ケースにおける前面から見たもので、主に送風手段と空気調和手段とタンク部分とを示した断面図である。
【００１５】
図１、図２、および図３に示すように、空気調和装置は、本体ケース１と、この本体ケース１内に設けられた空気調和手段２と、送風手段３とを備えている。空気調和手段２と送風手段３は、吸込口４と吹出口５とを連通する送風路６内に設けられている。
【００１６】
本体ケース１は、横長の箱形状である。本体ケース１の外周面における背面側の側面の下部には吸込口４が備えられている。本体ケース１の天面における本体ケース１の背面から見て右側には、吹出口５が備えられている。吹出口５は、上から見ると四角形状である。
【００１７】
空気調和手段２の１例は、加湿部７である。加湿部７は、貯水容器８と、加湿フィルター９と、タンク部分１０とを有している。
【００１８】
貯水容器８は、上面が開口した椀形状で、本体ケース１内の下部に着脱自在に設けられている。貯水容器８の本体ケース１の前面から見て左側には、加湿フィルター９が装着され、貯水容器８の本体ケース１の前面から見て右側には、タンク部分１０が装着される。タンク部分１０から供給された水が、貯水容器８内に所定の量だけ溜まる。
【００１９】
加湿フィルター９は、略角筒形状であり、上下面が開口しており、貯水容器８内に溜まった水に、下端部が浸漬するように、貯水容器８に装着されている。加湿フィルター９は、貯水容器８内に溜まった水を吸い上げ、加湿フィルター９全体が湿った状態になる。加湿フィルター９の少なくとも一部は、吸込口４に対向している。つまり、吸込口４から本体ケース１内を見ると、加湿フィルター９の少なくとも一部が見える。
【００２０】
タンク部分１０は、水を貯水できるタンク容器１１と、タンク容器１１の上部に設けられたタンク取手１２と、タンク容器１１の下部に備えた加湿部７分へ水を供給するタンク給水機構１３とから形成されている。
【００２１】
送風手段３は、加湿フィルター９の上方に設けられているモータ１４と、モータ１４によって回転する羽根である軸流ファン１５とから構成している。送風手段３によって、吸込口４から吸い込まれた空気は、送風路６により、空気調和手段２を介して吹出口５から吹き出される。
【００２２】
送風路６の垂直断面形状は、略Ｌ字形状である。送風路６は、まず吸込口４から水平方向に延び、加湿フィルター９へ連通している。次に加湿フィルター９から上方延び、送風手段３へ連通している。最後に、送風手段３から上方延び、吹出口５へ連通している。
【００２３】
続いて、空気調和装置における空気の流れを説明する。吸込口４と吹出口５とを連通する送風路６には、吸込口４、加湿フィルター９、送風手段３、吹出口５が順に配置されている。送風手段３によって、本体ケース１外の空気が、吸込口４から吸い込まれ、加湿フィルター９へ送風される。この加湿フィルター９の側周面を通過することによって、湿った空気となる。この湿った空気が、送風手段３を介し、吹出口５から室内へ送風される。
【００２４】
なお、空気調和手段２は、加湿部７でなくてもよく、除湿部、空気清浄部でもよい。
【００２５】
図４は、本体ケースにおける上方から見た送風手段３の斜視図である。
【００２６】
図５は、本発明の実施の形態１の空気調和装置の消音部１６および送風手段３を示す断面図である。（図４におけるＡ−Ａから見た断面図図である）。
【００２７】
図４、図５に示すように、本実施形態における特徴は、送風手段３の周辺に消音部１６を設けた点である。消音部１６は、内部に空間１８を有する箱部分１７と、箱部分１７の内部の空間１８と送風路６とを連通するスリット部１９とを備えている。
【００２８】
これにより、主に送風手段３で発生する騒音が、消音部１６のスリット部１９から箱部分１７の内部の空間１８に入り、この空間１８で共鳴することによって、騒音を低減できる。
【００２９】
また、送風手段３のモータ１４は、送風路６の断面形状が曲面部分２０を有する曲面風路部２１に設けられている。
【００３０】
モータ１４は、送風路６の内面から内方に延びたモータ固定部２２によって、送風路６に支持されている。モータ１４は、下面から鉛直方向に延びた回転軸２３を備えている。モータ１４の回転軸２３には、軸流ファン１５が固定されている。
【００３１】
軸流ファン１５は、主板２４と、羽根２５と、リング２６とから構成している。主板は、上面が開口した椀形状である。羽根２５は、水平断面形状が、円弧形状で、主板２４の下面から下方に複数延びている。リング２６は、下部開口が上部開口より小さい円筒形状で、複数の羽根２５の先端に設けられている。軸流ファン１５が回転すると、リング２６の下部開口から吸い込んだ空気を、主板２４とリング２６との間から吹き出す。この吹き出した空気は、送風路６である曲面風路部２１に送風される。
【００３２】
曲面風路部２１は、モータ１４の上端から吹出口５までの送風路６である。曲面風路部２１を上から見ると、本体ケース１の左側の隅に、水平断面形状が曲面である曲面部分２０を２つ有している。
【００３３】
消音部１６の箱部分１７は、曲面風路部２１の曲面部分２０と本体ケース１との間に設けられている。つまり、消音部１６は、本体ケース１の左側の隅に、２つ備えている。
【００３４】
箱部分１７は、縦長の箱形状で、水平断面形状は、略直角二等辺三角形で、最も長い辺が、円弧形状である。最も長い辺が、曲面風路部２１の曲面部分２０である。
【００３５】
これにより、軸流ファン１５より吹出した空気は本体上方から見た場合に、軸流ファンの回転方向に旋回しながら吹出口５より吹出すため、曲面部分２０を設けることにより、吹出す空気に対して抵抗を与えることが無く、空間１８での共鳴による騒音低減を達成することができる。
【００３６】
また、送風手段３は、送風路６における吹出口の上流側に設けられている。スリット部１９は、送風路６における吹出口５と送風手段３との間に設けられている。具体的には、スリット部１９は、消音部１６の箱部分１７における天面２７に設けられている。天面２７を上から見ると、直角二等辺三角形で、最も長い辺が、円弧形状である。天面２７を横から見ると、略直角二等辺三角形の直角の角から、最も長い辺に向かうにつれて、下方へ傾斜している。つまり、スリット部を有する箱部分における天面２７は、傾斜している。
【００３７】
これにより、送風手段３から吹出口５の間の送風路６において急激な風路面積の変動を抑制することができるため、圧力損失を最低限に抑えることができる。そのため、より静音化を達成することができる。
【００３８】
また、スリット部１９を曲面部分２０ではなく、天面２７に設けることにより、風路断面積が大きくなり、風速が下がるので、スリット部１９で発生する風きり音を低減できる。
【００３９】
また、スリット部１９は、送風手段３によって送風される送風方向に対して直交するように延びた長方形である。具体的には、スリット部は、上から見ると略直角二等辺三角形である天面２７における、最も長い辺にほぼ平行に延びている長方形である。
【００４０】
これにより、送風路６より吹出口５に向かう空気においてより多くの量がスリット部１９の表面を伝って流れるため、より多くの騒音がスリット部１９より消音部１６に流入するため、より多くの消音効果を得ることができる。
【産業上の利用可能性】
【００４１】
本発明にかかる空気調和装置は、消音部を送風手段の周辺に設け、消音部は、内部に空間を有する箱部分と、箱部分の内部の空間と送風路とを連通するスリット部とを備えたことにより、主に送風手段で発生する騒音が、消音部のスリット部から箱部分の内部の空間に入り、この空間で共鳴することによって、騒音を低減できるものであるので、家庭用や事務所用などに使用される空気調和装置等として有用である。
【符号の説明】
【００４２】
１    本体ケース
２    空気調和手段
３    送風手段
４    吸込口
５    吹出口
６    送風路
７    加湿部
８    貯水容器
９    加湿フィルター
１０    タンク部分
１１    タンク容器
１２    タンク取手
１３    タンク給水機構
１４    モータ
１５    軸流ファン
１６    消音部
１７    箱部分
１８    空間
１９    スリット部
２０    曲面部分
２１    曲面風路部
２２    モータ固定部
２３    回転軸
２４    主板
２５    羽根
２６    リング
２７    天面
【図１】
2016023824.tif 000003
【図２】
2016023824.tif 000004
【図３】
2016023824.tif 000005
【図４】
2016023824.tif 000006
【図５】
2016023824.tif 000007